(57)【特許請求の範囲】
【請求項１】
空気吸入側より順次にシャッタ、オゾナイザ、集塵電極、およびファンを設け、一定時間シャッタを閉める手段を有することを特徴とする殺菌機能付き空気清浄機。
【発明の詳細な説明】
【０００１】
【発明の属する技術分野】
本発明は浮遊細菌の多い場所等に設置する空気清浄機に関する。
【０００２】
【従来の技術】
近年院内感染の多発により病院内での浮遊細菌の殺菌の必要が高まり、殺菌機能付き空気清浄機の開発が盛んである。
【０００３】
従来の殺菌機能付き空気清浄機の例を図５に示す。図５で示すようにケーシング４１内にその空気吸入口側からプレフィルタ４２、イオナイザ兼オゾナイザ４３、集塵電極４４、オゾン分解触媒４５、ファン４６が順次に配置され、矢印のように流れる空気に含まれる比較的粗い塵をプレフィルタ４２で取り除いたのち、プレフィルタ４２を通過する比較的細かい塵をイオナイザ４３にて帯電させ、イオナイザ４３と反対の電荷を荷電した集塵電極４４で収集する。またイオナイザ４３はオゾナイザも兼ねており、コロナ放電によりオゾンが発生する。発生したオゾンは集塵電極４４に到達し、集塵電極４４に捕獲された細菌を殺菌する。またオゾンは有害であるためにオゾン分解触媒４５にて酸素に分解される。その際に悪臭成分は酸化分解され脱臭される。
【０００４】
【発明が解決しようとする課題】
しかしながら上記従来の構成では、イオナイザ兼オゾナイザ４３で発生したオゾンは下流側の集塵電極４４に流れ、上流側のプレフィクタ４２がオゾンに暴露されることはない。細菌は塵に付着しても浮遊しており、プレフィルタ４２に捕捉された比較的粗い塵にも細菌が付着していて殺菌されないので、プレフィルタ４２が細菌汚染されることがあるという問題点を有していた。
【０００５】
本発明は上記従来の問題点を解決するもので、プレフィルタに捕捉された細菌に対しても殺菌機能を有する殺菌機能付き空気清浄機を提供することを目的とする。
【０００６】
【課題を解決するための手段】
上記の目的を達成するために第１の発明の殺菌機能付き空気清浄機は、空気が通過する系路にプレフィルタとオゾン発生手段とファンをもち、空気吸入口に開閉可能なシャッタを設け、一時的にシャッタを閉める手段と、前記一時的にシャッタを閉めたときにファンを逆回転させる手段を設けた構成を有する。
【０００７】
第２の発明の殺菌機能付き空気清浄機は、空気が通過する系路にプレフィルタとオゾン発生手段とファンをもち、空気吸入口に開閉可能なシャッタを設け、プレフィルタと集塵電極間に循環路を設けるとともに前記循環路に第２のファンを設け、一時的にシャッタを閉める手段と、前記一時的にシャッタを閉めたときに前記循環路第２のファンを動かす手段を設けた構成を有する。
【０００８】
第３および第４の発明の殺菌機能付き空気清浄機は、空気が通過する系路にプレフィルタとオゾン発生手段とファンをもち、空気吸入口に開閉可能なシャッタを設け、プレフィルタと集塵電極間に循環路を設けるとともに循環路に第２のファンおよびオゾン分解触媒または紫外線灯が設けられ、一時的にシャッタを閉める手段と、前記一時的にシャッタを閉めたときに第２のファンを動かす手段をもつ構成を有する。
【０００９】
【作用】
上記の第１の発明の殺菌機能付き空気清浄機は、シャッタを閉めファンを逆回転するのでオゾンが逆流し、プレフィルタにオゾンを暴露する。第２の発明の殺菌機能付き空気清浄機は、シャッタを閉め循環路の第２のファンを回転させることにより循環路にオゾンが流れ、プレフィルタにオゾンを暴露する。第３および第４の発明の殺菌機能付き空気清浄機は、循環路を通るオゾンがオゾン分解触媒または紫外線灯により殺菌力の強い活性酸素種に分解されプレフィルタに暴露される。
【００１０】
【発明の実施の形態】
（実施例１）
以下、本発明の実施例について、図面を参照しながら説明する。
【００１１】
図１は本発明の第１の実施例を示しており、図１において１はケーシングであり、空気吸入口７より空気出口に向ってプレフィルタ２、イオナイザ兼オゾナイザ３、集塵電極４、オゾン電解触媒５、ファン６を順次配設している。そして空気吸入口７にはシャッタ８を設けてあり、このシャッタ８は駆動装置９によって開閉させられるようになっている。図中の実線の矢印は通常の空気清浄運転時の空気の流れ、点線の矢印はプレフィルタ殺菌時の空気の流れを示している。
【００１２】
以上のように構成された空気清浄機について、以下図１を用いてその動作を説明する。通常の空気清浄運転では実線の矢印で示すようにファン６の駆動により空気中に浮遊した塵、細菌、臭気成分は空気吸入口７からケーシング１内に吸い込まれ、プレフィルタ２を通過する。この際、比較的サイズの大きな塵はプレフィルタ２に捕捉される。プレフィルタ２に捕捉された塵には細菌も付着している。イオナイザ兼オゾナイザ３には高圧が印加されており、コロナ放電によりプレフィルタ２を通過したサイズの小さな塵や細菌が帯電する。集塵電極４は逆電荷が印加されており、帯電した塵や細菌は集塵電極４に引きつけられて捕捉される。イオナイザ兼オゾナイザ３ではオゾンも発生しており、オゾンは下流側の集塵電極４に達し集塵電極４に捕捉された細菌を殺菌する。さらに下流のオゾン分解触媒５ではオゾンが触媒の作用で酸素と酸化力のより強い活性酸素に分解される。活性酸素種は臭気成分と化学反応し無臭成分に分解される。
【００１３】
プレフィルタ２の殺菌は装置運転中の一定時間、たとえば１２時間に１時間、ケーシング１の空気吸入口７に設けられたシャッタ８が駆動装置９によって閉じられ、そしてファン６が逆回転する。点線の矢印に示すようにファン６の逆回転により、イオナイザ兼オゾナイザ３で発生したオゾンはプレフィルタ２に暴露され、プレフィルタ２に捕捉された塵に付着した細菌が殺菌される。この際、空気吸入口７はシャッタ８により閉じられているので、オゾンがケーシング１外に漏れることは無い。
【００１４】
以上のように本実施例によれば、シャッタ８を空気吸入口７の遮蔽およびファン６の逆回転によりプレフィルタ２にオゾンが暴露され、プレフィルタ２に付着した細菌も殺菌される。
【００１５】
（実施例２）
以下本発明の第２の実施例について図面を参照しながら説明する。図２は第２の発明の実施例を示しており、１１は循環路で、プレフィルタ２と集塵電極４の出口間に形成されており、この循環路１１のプレフィルタ２側には第２のファン１２を設けた構成に特徴をもっている。
【００１６】
なお、図２において、図１と同じ構成部分については同じ符号で示し、それらの構成部分の詳細な説明は省略する。
以上のように構成された空気清浄機について以下図２を用いてその動作を説明する。通常の空気清浄運転では実線の矢印で示すようにファン６の駆動により空気中に浮遊した塵、細菌、臭気成分は空気吸入口７からケーシング１内に吸い込まれ、プレフィルタ２を通過する。この際、比較的サイズの大きな塵はプレフィルタ２に捕捉される。プレフィルタ２に捕捉された塵には細菌も付着している。イオナイザ兼オゾナイザ３には高圧が印加されており、コロナ放電によりプレフィルタ２を通過したサイズの小さな塵や細菌が帯電する。集塵電極４は逆電荷が印加されており、帯電した塵や細菌は集塵電極４に引きつけられ捕捉される。イオナイザ兼オゾナイザ３ではオゾンも発生しており、オゾンは下流側の集塵電極４に達し集塵電極４に捕捉された細菌を殺菌する。さらに下流のオゾン分解触媒５ではオゾンが触媒の作用で酸素と酸化力のより強い活性酸素種に分解される。活性酸素種は臭気成分と化学反応し無臭成分に分解される。
【００１７】
プレフィルタ２の殺菌は運転中の一定時間、たとえば１２時間に１時間、ケーシング１の空気吸入口７に設けられたシャッタ８を駆動装置９で閉め、循環路１１の出口側に設けられた第２のファン１２を駆動することにより行なわれる。さらに詳しく説明すると、第１のファン６の回転を止め第２のファン１２を駆動することにより、イオナイザ兼オゾナイザ３で発生したオゾンは循環路１１を通ってプレフィルタ２に吹き付けられる。プレフィルタ２に捕捉された塵に付着した細菌はオゾンにより殺菌される。この際空気吸入口７はシャッタ８により閉じられているので、オゾンがケーシング１外に漏れることは無い。
【００１８】
以上のように本実施例によれば、シャッタ８で空気吸入口の遮蔽し第２のファン１２の駆動により循環路１１からプレフィルタ２にオゾンが吹き付けられプレフィルタ２に付着した細菌も殺菌される。
【００１９】
（実施例３）
以下本発明の第３の実施例について図３を参照して説明する。
本実施例の特徴とするところは図示のように第２の実施例の循環路１１の出口に第２のオゾン分解触媒２０を設けたことにある。なお図３において、図２と同じ構成部分については同じ符号で示し、それらの構成部分の詳細な説明は省略する。
【００２０】
以上のように構成された空気清浄機について以下図３を用いてその動作を説明する。通常の空気清浄運転では実線の矢印で示すように通常の空気清浄運転では実線の矢印で示すようにファン６の駆動により空気中に浮遊した塵、細菌、臭気成分は空気吸入口７からケーシング１内に吸い込まれ、プレフィルタ２を通過する。この際、比較的サイズの大きな塵はプレフィルタ２に捕捉される。プレフィルタ２に捕捉された塵には細菌も付着している。イオナイザ兼オゾナイザ３には高圧が印加されており、コロナ放電によりプレフィルタ２を通過したサイズの小さな塵や細菌が帯電する。集塵電極４は逆電荷が印加されており帯電した塵や細菌は集塵電極４に引きつけられ捕捉される。イオナイザ兼オゾナイザ３ではオゾンも発生しており、オゾンは下流側の集塵電極４に達し集塵電極４に捕捉された細菌を殺菌する。さらに下流の第１のオゾン分解触媒５ではオゾンが触媒の作用で酸素と酸化力のより強い活性酸素種に分解される。活性酸素種は臭気成分と化学反応し無臭成分に分解される。
【００２１】
プレフィルタ２の殺菌は運転中の一定時間、たとえば１２時間に１時間、ケーシング１の空気吸入口７に設けられたシャッタ８を駆動装置９で閉め、循環路１１の出口側に設けられた第２のファン１２を駆動する。さらに詳しく説明すると第１のファン６の回転を止め第２のファン１２を駆動することにより、イオナイザ兼オゾナイザ３で発生したオゾンは循環路１１および第２のオゾン分解触媒２０を通ってプレフィルタ２に吹き付けられる。第２のオゾン分解触媒２０ではオゾンが分解され殺菌力のより強い活性酸素種が発生されるので、プレフィルタ２に捕捉された塵に付着した細菌はより強く殺菌される。なお活性酸素種は酸化力が強いほど寿命が短いので第２のオゾン分解触媒２０はできるだけプレフィルタ２に近づけたほうが良い。
【００２２】
以上のように本実施例によれば、シャッタ８で空気吸入口の遮蔽し第２のファン１２の駆動により循環路１１からプレフィルタ２に殺菌力の強い活性酸素が吹き付けられ、プルフィルタ２に付着した細菌も強力に殺菌される。
【００２３】
（実施例４）
以下本発明の第４の実施例について図４を参照して説明する。
本実施例の特徴とするところは図示のように第３の実施例の循環路内１１に第２のオゾン分解触媒の代わりに紫外線灯３０を設けたことにある。なお、図４において、図２と同じ部分については同じ符号で示しているので、それらの構成部分の詳細な説明は省略する。
【００２４】
本実施例において紫外線灯３０はオゾンを分解し殺菌力のより強い励起酸素原子と一重項酸素を生成する役割であり、第３の実施例と同様にこれらの活性酸素種がプレフィルタ２に吹き付けられ、プレフィルタ２に捕捉された塵に付着した細菌はより強く殺菌される。他の動作については実施例３と同様であるので説明は省略する。
【００２５】
以上のように本実施例によれば、シャッタ８で空気吸入口の遮蔽し第２のファン１２の駆動により循環路１１からプレフィルタ２に殺菌力の強い励起酸素原子と一重項酸素が吹き付けられ、プレフィルタ２に付着した細菌も強力に殺菌される。
【００２６】
なお第１、第２、第３および第４の実施例ともプレフィルタ２の殺菌時間を１２時間に１時間としたが、これにとらわれない。またイオナイザとオゾナイザを兼用したが別個でも良い。また、第２、第３および第４の実施例で第２のファン１２の位置をプレフィルタ２側として説明したが、循環路１１内でも集塵電極４側でも良い。また、第４の実施例で紫外線灯３０の位置を循環路１１の出口側としているが、入り口側もしくは中に設けても良い。
【００２７】
【発明の効果】
以上の各実施例の説明より明らかなように本発明の殺菌機能付き空気清浄機は、オゾンの逆流またはオゾンを循環路を通してプレフィルタへ吹き付けるので、プレフィルタに捕捉された細菌も殺菌され、プレフィルタの細菌汚染の無いより安全な空気清浄機が実現できるものである。
【図面の簡単な説明】
【図１】本発明の第１の発明の殺菌機能付き空気清浄機の断面図
【図２】本発明の第２の発明の殺菌機能付き空気清浄機の断面図
【図３】本発明の第３の発明の殺菌機能付き空気清浄機の断面図
【図４】本発明の第４の発明の殺菌機能付き空気清浄機の断面図
【図５】従来の殺菌機能付き空気清浄機の断面図
【符号の説明】
１    ケーシング
２    プレフィルタ
３    イオナイザ兼オゾナイザ
４    集塵電極
５    第１のオゾン分解触媒
６    第１のファン
７    空気吸入口
８    シャッタ
９    シャッタの駆動装置
１１    循環路
１２    第２のファン
２０    第２のオゾン分解触媒
３０    紫外線灯
【図１】
0003657233.tif 000002
【図２】
0003657233.tif 000003
【図３】
0003657233.tif 000004
【図４】
0003657233.tif 000005
【図５】
0003657233.tif 000006